(57)【要約】【課題】平坦度が良好な鋼帯の調質圧延方法とその設備【解決手段】軸方向において互いに補完し合うＳ字形状のロールプロフィルを有し、互いに逆向きに軸方向にシフトさせることによりロールギャップを調整することができる上下一対のワークロールを備える２段式調質圧延機により、調質圧延前に鋼帯の板クラウンを測定し、該測定した板クラウンを含む鋼帯の圧延情報に基づいて、該ワークロールが形成するメカニカルクラウンが該板クラウンと等価となるワークロールのシフト位置を算出して、該位置にワークロールをシフトして調質圧延する鋼帯の調質圧延設備および調質圧延方法。 【選択図】図２
2016055336.tif 000002
【特許請求の範囲】
【請求項１】
軸方向において互いに補完し合うＳ字形状のロールプロフィルを有し、互いに逆向きに軸方向にシフトさせることができる上下一対のワークロールを備える２段式調質圧延機と調質圧延される鋼帯の板クラウンを調質圧延前に測定する板クラウン測定手段と該測定した板クラウンを含む鋼帯の圧延情報に基づいて、該ワークロールが形成するメカニカルクラウンが前記測定した板クラウンと等価となるワークロールのシフト位置を算出するシフト位置算出手段とを備える鋼帯の調質圧延設備。
【請求項２】
前記板クラウン測定手段が調質圧延前の圧延工程における最終圧延機出側と巻取機の間に設けられていることを特徴とする請求項１に記載の調質圧延設備。
【請求項３】
前記板クラウン測定手段が調質圧延機のコイルの払い出し手段と調質圧延機の入側との間に設けられていることを特徴とする請求項１に記載の調質圧延設備。
【請求項４】
前記Ｓ字形状のロールプロフィルが下記の３次関数で規定されたことを特徴とする請求項１〜３のいずれか一項に記載の鋼帯の調質圧延設備。
ｙ＝ｃ１χ＋ｃ２χ２＋ｃ３χ３
ここで、у：ロール半径、χ：調質圧延機のＣＬ（センターライン）からの距離、
ｃ１〜ｃ３：定数。
【請求項５】
軸方向において互いに補完し合うＳ字形状のロールプロフィルを有し、互いに逆向きに軸方向にシフトさせることができる上下一対のワークロールを備える２段式調質圧延機により鋼帯を調質圧延する方法であって、調質圧延前に鋼帯の板クラウンを測定し、該測定した板クラウンを含む鋼帯の圧延情報に基づいて、該ワークロールが形成するメカニカルクラウンが前記測定した板クラウンと等価となるワークロールのシフト位置を算出し、該位置にワークロールをシフトして調質圧延することを特徴とする鋼帯の調質圧延方法。
【請求項６】
前記Ｓ字形状のロールプロフィルが下記の３次関数で規定されたことを特徴とする請求項５に記載の鋼帯の調質圧延方法。
ｙ＝ｃ１χ＋ｃ２χ２＋ｃ３χ３
ここで、у：ロール半径、χ：調質圧延機のＣＬ（センターライン）からの距離、
ｃ１〜ｃ３：定数。
【発明の詳細な説明】
【技術分野】
【０００１】
本発明は、鋼帯の調質圧延設備および調質圧延方法に関する。
【背景技術】
【０００２】
鋼帯の調質圧延は、熱間圧延において矩形断面スラブから熱延黒皮コイルを製造した後に、あるいはさらに冷間圧延した後に、形状を矯正して平坦化するとともに、各鋼種・使用用途に応じた目標伸び率を付与することで降伏点伸び、引張強さ、伸びなどの機械的性質を調整することを目的としている。
【０００３】
圧延後の鋼帯を平坦化し、目標とする伸び率を付与するには、鋼帯の寸法、強度等に応じた調質圧延条件を設定しなければならない。そして、通常、鋼帯はコイル状に巻かれているので、コイル毎に調質圧延条件が設定されることになる。調質圧延機には、ワークロールベンダーを有する四段式圧延機や中間ロールシフト機能を有する六段式圧延機を適用することが一般的である。
一方、熱間仕上圧延等では、四段式圧延機でワークロールを軸方向にシフトさせることで、ロール磨耗分散や形状を制御する技術が知られている。
【０００４】
特許文献１では、熱延仕上工程におけるワークロールシフト位置の決定方法について、遺伝アルゴリズムを用いた方法が開示されている。また、特許文献２では、冷間圧延におけるエッジドロップ抑制のためのシフト位置決定方法が開示されている。
特許文献１では、熱延仕上圧延において予め決定している圧延順に基づいて、サーマルクラウンやロール磨耗を予測して、シフト位置を予測しているが、計算や予測値からシフト位置を決定しているため、予測が外れた場合には、適正なシフト位置が得られないという課題がある。
特許文献２では、圧延材のクラウンおよびウェッジを測定した上で、その結果を基にシフト位置を決定するという技術であるため、双方の測定結果が必要になるという課題がある。
【０００５】
近年、中伸びや耳伸びなどのない形状のよい鋼帯が求められており、調質圧延後の鋼帯に対しても、平坦度の要求が厳しくなっている。
しかし、上記に示したような従来の技術では、適正なワークロールのシフト位置が得られないことから、調質圧延によって満足すべき形状のよい鋼帯を得ることができなかった。またそうでないとしても、４段圧延機や６段圧延機などの補修やメンテナンスが煩雑な手段や方法を使用するものであった。
【先行技術文献】
【特許文献】
【０００６】
【特許文献１】特開２００４−１４８３８０号公報
【特許文献２】特開２００４−２４９２９５号公報
【発明の概要】
【発明が解決しようとする課題】
【０００７】
そこで、本発明は、従来のような複雑な手段や方法を採用することなく、目標とする伸び率を付与することができるのみならず、形状のよい鋼帯を得ることができる調質圧延設備および調質圧延方法を提供することを目的とする。
【課題を解決するための手段】
【０００８】
上記の課題を解決するために、本発明は、以下の手段を採用する。
［１］軸方向において互いに補完し合うＳ字形状のロールプロフィルを有し、互いに逆向きに軸方向にシフトさせることができる上下一対のワークロールを備える２段式調質圧延機と調質圧延される鋼帯の板クラウンを調質圧延前に測定する板クラウン測定手段と該測定した板クラウンを含む鋼帯の圧延情報に基づいて、該ワークロールが形成するメカニカルクラウンが前記測定した板クラウンと等価となるワークロールのシフト位置を算出するシフト位置算出手段とを備える鋼帯の調質圧延設備。
［２］前記板クラウン測定手段が調質圧延前の圧延工程における最終圧延機出側と巻取機の間に設けられていることを特徴とする［１］に記載の調質圧延設備。
［３］前記板クラウン測定手段が調質圧延機のコイルの払い出し手段と調質圧延機の入側との間に設けられていることを特徴とする［１］に記載の調質圧延設備。
［４］前記Ｓ字形状のロールプロフィルが下記の３次関数で規定されたことを特徴とす
る［１］〜［３］のいずれかに記載の鋼帯の調質圧延設備。
ｙ＝ｃ１χ＋ｃ２χ２＋ｃ３χ３
ここで、у：ロール半径、χ：調質圧延機のＣＬ（センターライン）からの距離、
ｃ１〜ｃ３：定数。
［５］軸方向において互いに補完し合うＳ字形状のロールプロフィルを有し、互いに逆向きに軸方向にシフトさせることができる上下一対のワークロールを備える２段式調質圧延機により鋼帯を調質圧延する方法であって、調質圧延前に鋼帯の板クラウンを測定し、該測定した板クラウンを含む鋼帯の圧延情報に基づいて、該ワークロールが形成するメカニカルクラウンが前記測定した板クラウンと等価となるワークロールのシフト位置を算出し、該位置にワークロールをシフトして調質圧延することを特徴とする鋼帯の調質圧延方法。
［６］前記Ｓ字形状のロールプロフィルが下記の３次関数で規定されたことを特徴とす
る［５］に記載の鋼帯の調質圧延方法。
ｙ＝ｃ１χ＋ｃ２χ２＋ｃ３χ３
ここで、у：ロール半径、χ：調質圧延機のＣＬ（センターライン）からの距離、
ｃ１〜ｃ３：定数。
【発明の効果】
【０００９】
本発明によれば、鋼帯を調質圧延する前に、鋼帯の板クラウンを測定して、この板クラウンを取り込んだ圧延情報に基づき、Ｓ字形状のロールプロフィルを有し、互いに逆向きに軸方向にシフトさせるワークロールを用いた２段式圧延機により調質圧延を行うことにより、調質圧延後の鋼帯は、目標どおりの伸び率を付与できるとともに、平坦な形状の良好なものとすることができる。
【図面の簡単な説明】
【００１０】
【図１】２段式調質圧延機による圧延を模式的に示す図である。
【図２】Ｓ字形状のプロフィルを有するワークロールが組み込まれた２段式調質圧延機を模式的に示す正面図である。
【図３】板クラウンを説明する図である。
【図４】Ｓ字形状のプロフィルを有するワークロールのロールシフト位置とロールギャップの関係を示した図である。
【図５】ワークロールのシフト位置の決定について、本発明の実施フローを示した図である。
【発明を実施するための形態】
【００１１】
最初に調質圧延について説明する。
図１は、本発明での２段式調質圧延機により、鋼帯１が上下１対のワークロール２により調質圧延されている状態を模式的に示している。ここでは、図面の左から右の方向に圧延が行われる。なお、３はハウジングである。この図には示していないが、通常、ワークロールの入側にコイルの払い出し手段であるペイオフリール、ワークロールの出側にテンションリールが配置されており、コイル状にペイオフリールに巻かれた鋼帯１が払い出されて、ワークロールのギャップに供給され調質圧延され、ワークロールの出側で調質圧延後の鋼帯はテンションリールに巻き取られる。この圧延時には鋼帯には張力が付与される。
【００１２】
また、図２に、本発明の２段式調質圧延機に組み込まれたワークロールの形状（ロールプロフィル）を示した。この上下のワークロールの各々はＳ字形状のロールプロフィルを有しており、軸方向において互いに補完し合うＳ字形状のロールプロフィルを有し、ワークロールを互いに逆向きに軸方向に移動（シフト）させることにより、ロールギャップを調整できるものである。４は軸受箱、５はシフト装置、６はスピンドル、７は駆動系をそれぞれ示す。
このように本発明での調質圧延機は２段式であり、従来のバックアップロールを有する４段圧延機、さらに中間ロールを有する６段圧延機に比べて、ロール本数が少なく、またロールベンダーなどのクラウン制御手段を必要としないから、メンテナンスや補修が煩雑ではない。
【００１３】
本発明では、上記のロールを組み込んだ調質圧延機で鋼帯を調質圧延するが、調質圧延する前に、鋼帯の板クラウンを測定して板クラウンの値を求めておき、この板クラウンの値と他の圧延情報に基づいて、調質圧延でのワークロールのシフト位置を決定する。
【００１４】
板クラウンとは鋼帯の幅中央板厚と鋼帯の側端部より一定距離だけ内側に入った位置での板厚との差である（図３参照）。一定距離とは、５０ｍｍ〜２００ｍｍ程度の距離である。
板クラウンは鋼帯の長手方向で複数箇所において測定することが好ましく、その複数箇所で測定した結果を平均した値を当該鋼帯の代表板クラウン値とすることができる。あるいは、鋼帯先端から何点目かの箇所で測定した板クラウンの値を当該鋼帯の代表板クラウン値としてもよい。
【００１５】
調質圧延が施される鋼帯は、通常、調質圧延前に熱間や冷間の仕上圧延工程で圧延されて鋼帯に成形され、次いで巻取機に巻き取られてコイル状にされている。
板クラウンの測定は、この仕上圧延工程での最終仕上圧延機の出側と巻取機の間で行うことができる。または、すでに記載したように、調質圧延設備列には巻き取ったコイルを払い出し手段（ペイオフリール）が配置されているのが一般的であり、払い出し後、調質圧延前に調質圧延機の入側で測定することも可能である。
測定方法は、レーザー光線やγ線等を用いた非接触式の測定装置を用いることが好ましいが、可能であれば触針で板を上下で挟んで測定する接触式でもよい。
【００１６】
次に、本発明の２段式調質圧延機のワークロールのシフト位置の計算方法について説明する。
本発明の２段式調質圧延機は、軸方向において互いに補完し合うＳ字形状のロールプロフィルを有し、互いに逆向きに軸方向に移動させることによりロールギャップを調整することができる上下一対のワークロールを備えている。
この上下ロールのプロフィルは、例えば、下記の式（１）、（２）に示す三次関数で規定されるプロフィルとすることができる。
上ロール：ｙｕ＝ｃ１χ＋ｃ２χ２＋ｃ３χ３ ・・・（１）
下ロール：ｙｌ＝ｃ１χ−ｃ２χ２＋ｃ３χ３ ・・・（２）
ここで、уはロール半径であり、χは圧延機（ミル）のＣＬ（センターライン）からの距離（ロール軸方向位置）を示す。またｃ１〜ｃ３は定数を示す。なお、ｕは上ロール、ｌは下ロールを示す。
【００１７】
ワークロールのシフト位置は、上下ロールが互いに逆方向にシフトして圧延機の正面からの視点で、点対称となるようにシフトする。例えば、シフト量がδの場合は、式（１）のχにχ＝χ−δを、式（２）のχにχ＝χ＋δを代入する。無負荷時のロールギャップは、式（１）と式（２））の差となるため、展開して差を計算すると、
ｙｕ−ｙｌ
＝（２ｃ２−６ｃ３δ）χ２−（２ｃ１δ−２ｃ２δ２＋２ｃ３δ３）・・・（３）
となり、第２項はχに依存しない値であり、幅方向のロールギャップ差には影響しないため、実際のロールギャップｇは、
ｇ＝（２ｃ２−６ｃ３δ）χ２          ・・・（４）
となり、無負荷時のロールギャップはシフト位置δによって決定される二次関数となる。
【００１８】
図４（ａ）、（ｂ）は上下ワークロールを軸方向に互いに逆方向シフトさせた時のロール軸方向位置とロールプロフィル（ロールギャップ）の関係を示したものである。
下ロールが座標の正の方向へシフトする方向をプラスシフト、負の方向へシフトする方向をマイナスシフトとする定義すると、図４（ａ）は、ワークロールが軸方向に下ロール＋３０ｍｍ、上ロールが−３０ｍｍのシフト状態にあるときのロールプロフィルを示し、図４（ｂ）は、下ロール−３０ｍｍ、上ロールが＋３０ｍｍのシフト状態であるときのロールプロフィルを示している。
【００１９】
シフト位置は、メカニカルクラウンと板クラウンが等価となるように決定する。ここで、メカニカルクラウンとは、圧延により生じるロールのたわみとロール扁平およびイニシャルロールクラウンの和から算出することができるワークロールのクラウンのことであり、具体的には、圧延時にロールが被圧延材から受ける荷重が板幅方向に均一分布となることを仮定して、ロールのたわみと扁平を計算し、それにイニシャルロールクラウンを足したものである。
【００２０】
それぞれのコイル（鋼帯）には、強度や板厚・幅に応じて調質圧延における目標伸び率範囲が設定されており、それらの情報を基に適切な圧延荷重が計算される。計算された圧延荷重を基にロールのたわみとロール扁平を算出することができる。
【００２１】
以下、ワークロールのシフト位置を算出するシフト位置算出手段９において実行される、ワークロールのシフト位置の決定方法について、図５のフローに従って説明する。
＜ステップ１＞
（フラットロールのメカニカルクラウンの計算）
スッテプ１では、被圧延材（鋼帯）の鋼種、板厚、板幅、調質圧延での目標伸び率および圧延荷重等が含まれるコイル情報に基づいて、ワークロールがイニシャルクラウンを付与していないフラットロール（平坦なロール）からなる２段式圧延機で圧延した場合のメカニカルクラウンを計算する。
【００２２】
＜ステップ２＞
（メカニカルクラウンと板クラウンの比較）
ステップ２では、ステップ１で得られたメカニカルクラウンとコイル情報に含まれる鋼帯の調質圧延前の板クラウンとを比較する。
板クラウンは、調質圧延が施される前に、板クラウン測定手段８の測定により、被圧延材の板幅中央部の板厚と、側端部から例えば１５０ｍｍ内側に入った位置での板厚との差から求めておく。他方、鋼帯（被圧延材）の幅中央とフラットロールの幅中央部を同一線上とし、ロールプロフィルにおける板幅中央部と板側端部から１５０ｍｍ内側に入った位置での板厚さから求めた板クラウン（メカニカルクラウン）とを比較する。
【００２３】
＜ステップ３＞
（適切なイニシャルワークロールクラウンの算出）
ステップ２での結果を基に、この差をゼロにするために適正なフラットロールでのイニシャルロールクラウンを求める。
【００２４】
＜ステップ４＞
（適正なシフト位置の決定）
ステップ３で求められた適正なフラットロールのイニシャルクラウンが求まると下記の式（５）により適正なシフト位置δを算出することができる。
例えば、板クラウンを板幅中央部の板厚と側端部から１５０ｍｍ内側に入った位置での板厚との差として、板クラウンをＣｒ１５０、フラットロールのメカニカル板クラウンをＣｒｍｆ、被圧延材の幅をＷとすると、以下の式（５）が成立する。
Ｃｒｍｆ（χ＝（Ｗ／２）−１５０）−Ｃｒ１５０−ｇ（χ＝（Ｗ／２）−１５０）
＝０                                              ・・・（５）
式（５）を満たすδを算出することで、本発明の調質圧延機に組み込まれたワークロール、すなわち、方向において互いに補完し合うＳ字形状のロールプロフィルを有し、互いに逆向きに軸方向に移動させることによりロールギャップを調整することができる上下一対のワークロールの適正なシフト位置を決定することができる。
このシフト位置でのロールプロフィルが形成するメカニカルクラウンと板クラウンは等価である。
【００２５】
ステップ１〜４から分かるように、本発明では、調質圧延が施される鋼帯の板クラウンを調質圧延前に実測し、この板クラウンを考慮して、メカニカルクラウンが測定した板クラウンと等価になるように、シフト位置δを決定し、いわば板クラウンを温存しつつ調質圧延を行っているから、圧延中に形状が損なわれることなく、調質圧延後にきわめて形状のよい鋼帯を得ることができる。
【００２６】
板クラウン情報が代表値１点のみの場合、このようにして計算されたワークロールシフト位置情報は、当該被圧延コイルの圧延前にワークロール軸のシフト装置に入力され、そのシフト位置にワークロールがセットアップされた後に圧延を行う。各コイル間において、コイルの先端部と他のコイルの後端部を順次溶接して連続的に調質圧延する場合では、当該被圧延コイルの調質圧延中に次コイルの鋼帯についてのシフト位置を計算しておき、溶接点近傍が調質圧延機を通過する際に、上下ワークロールを解放してロールをシフトする。
【００２７】
被圧延材（鋼帯）の各コイルを払い出し手段から１コイルずつ払い出して、調質圧延を施した後に、巻き取りを行う設備では、当該被圧延コイルの圧延後、次コイルの先端が噛み込み前にロールをシフトする。当該コイルの鋼帯と次コイルの鋼帯でのシフト位置の差が非常に小さい場合は、シフト装置のロールシフト位置停止精度に応じて、次コイル圧延前にはシフト無しで圧延する場合もある。
【００２８】
また、被圧延材の板クラウン情報が長手方向に複数点測定できる場合は、まず、第１点目の測定結果に合わせてシフト位置をセットアップして調質圧延を開始し、第２点目の測定以降でその値に変動がある際には測定箇所近傍が調質圧延機を通過するタイミングで、圧延をしながらロールをシフトさせることで、鋼帯の長手方向での板クラウン変動に応じた適正なメカニカルクラウンの状態で調質圧延を施すことが可能である。
【００２９】
本発明での、実測した板クラウンの情報に基づいて、ワークロールの軸方向へのシフト位置を算出する方法は、４段式調質圧延機や六段式調質圧延機のワークロールのシフト位置の決定にも適用できる。
【実施例】
【００３０】
本発明の実施例として、軸方向において互いに補完し合うＳ字形状のロールプロフィルを有し、互いに逆向きに軸方向に移動することができる上下一対のワークロールが組み込まれた２段式調質圧延機で調質圧延を実施した（図２参照）。
２段調質圧延機の入側には、調質圧延が施される鋼帯を供給するペイオフリールが、また同出側には調質圧延された鋼帯を巻き取るテンションリールがそれぞれ配置され、圧延機とペイオフリール間には圧延機入側の該金属ストリップに張力を付与する手段が配置されている（図示せず）。
【００３１】
調質圧延の対象とした鋼帯の材質、寸法等やワークロールの寸法等および調質圧延の圧延条件は以下のとおりである。
【００３２】
＜鋼帯＞
材質：低炭素鋼、降伏応力：２７０ＭＰａ、
板厚：３．２ｍｍ、板幅：１２００ｍｍ、板長さ：６５０ｍ
（調質圧延前の鋼帯の）板クラウン：２０μｍ
なお、板クラウンは、鋼帯の幅中央板厚と鋼帯の側端部より１５０ｍｍだけ内側に入った位置での板厚との差を鋼帯長手方向に等間隔で２０点求めその平均の値を採用した。
【００３３】
＜ワークロール（ＷＲ）の寸法、プロフィル＞
ＷＲの胴長：１８００ｍｍ
ＷＲの最大直径：８３０．４０ｍｍ
ＷＲの最小直径：８２９．７５ｍｍ
（ＷＲのプロフィルは以下の３次関数で表されるものである。）
上ロール：ｙu＝ｃ１χ＋ｃ２χ２＋ｃ３χ３
下ロール：ｙｌ＝ｃ１χ−ｃ２χ２＋ｃ３χ３
c1＝６．８６×１０−１０、c2＝１２３×１０−７、c3＝−４．９２×１０−４
【００３４】
＜調質圧延の条件＞
目標伸び率０．４％、
圧延荷重：３４０ｔｏｎｆ、
入側張力：２０ｔｏｎ、出側張力：２２ｔｏｎ
【００３５】
調質圧延前の鋼帯の板クラウンの値（２０μｍ）と圧延荷重（３４０ｔｏｎｆ）等から前述のステップ１〜４にしたがい、メカニカルクラウンがこの板クラウンと等価になるワークロールのシフト位置を算出すると、上ロール−１２ｍｍ、下ロール＋１２ｍｍであった。
以上の条件で、ワークロールを互いに逆向きに（上ロール−１２ｍｍ、下ロール＋１２ｍｍ）軸方向に移動させて、上記の鋼帯を調質圧延したところ、伸び率は０．４１％であり、また、調質圧延後の形状は急峻度−０．０８％であった。このように本実施例では、目標伸び率０．４％を達成し、急峻度は絶対値で０．１％以下であって、極めて小さく、良好な形状の鋼帯に圧延することができた。
【００３６】
なお、急峻度とは、鋼帯の長手方向に発生する波状の形態から算出される値であり、波高をｈ、ピッチ（波長）をｐとしたとき、（ｈ／ｐ）×１００（％）で定義されるものである。急峻度の値が小さいほど平坦度が良好であるといえる。
【符号の説明】
【００３７】
１：鋼帯
２：ワークロール
３：ハウジング
４：軸受箱
５：シフト装置
６：スピンドル
７：駆動系
８：板クラウン測定手段
９：シフト位置算出手段
【図４】
2016055336.tif 000003
【図１】
2016055336.tif 000004
【図２】
2016055336.tif 000005
【図３】
2016055336.tif 000006
【図５】
2016055336.tif 000007